(57)【要約】　　　（修正有）【課題】テイクアウト用のかき氷・アイスクリームその他の飲料を底下からドライアイスを使って保冷できるものを提供する。【解決手段】容器の底におさまる面積でフタができる袋に、容器の底の深さより薄いドライアイスを入れてフタをする。袋本体の一面には粘着手段が設けられ、該手段により容器の底に粘着固定する。袋本体の粘着手段を有する面の反対位置の素材表面あるいは袋内となる裏面に断熱シートを設ける。粘着補助手段として袋本体のフタの横にあたる端の片側または両側に粘着補助となる補助ベルトを設ける。【選択図】　　　図１
2004010166.tif 000002
【特許請求の範囲】
【請求項１】
袋本体と袋本体に収納されたドライアイスと袋本体の一面に設けられた粘着手段よりなる容器保冷用袋。
【請求項２】
任意のテイクアウト用のかき氷・アイスクリームなどの容器の底におさまる面積・形状であることを特徴とする請求項１記載の容器保冷用袋。
【請求項３】
袋本体の粘着手段を有する面の反対位置の素材の表面あるいは袋内となる裏面に断熱シートを設けたことを特徴とする請求項１または２記載の容器保冷用袋。
【請求項４】
袋本体の粘着手段を有する面の反対位置でフタ部の横にあたる端の片側または両側に粘着補助となるシール機能付補助ベルトを設けたことを特徴とする請求項１・２・３記載の容器保冷用袋。
【発明の詳細な説明】
【０００１】
【発明の属する技術分野】
この発明は、テイクアウト用のかき氷・アイスクリームその他の飲料を外から保冷させるための保冷用品に関するものである。
【０００２】
【従来の技術】
従来は、テイクアウト用のかき氷・アイスクリームなどを外からドライアイスなどで保冷させるものはなかった。
【０００３】
【発明が解決しようとする課題】
かき氷・アイスクリームを召し上がる場合、時間がたつと、どうしても下方が溶け出してしまい、かき氷は水にアイスクリームはどろどろの液体になってしまうことが現状である。溶けるのを激減させる方法が必要である。
本発明は、以上の欠点を解決するためになされたものである。
【０００４】
【課題を解決するための手段】
容器の底におさまる面積のフタができる袋に、片面他物と接着できるシール機能を設ける。これにより中にドライアイスを入れて底に接着固定できる。
本発明は、以上の構成よりなる容器保冷用袋である。
【０００５】
【発明の実施の形態】
本発明を使用するときは、容器の底の深さより薄いドライアイスを中に入れ、フタをし、シール部で容器の底に接着させることにより、下からかき氷・アイスクリームなどが保冷できる。溶けていく度合いが激減する。
【０００６】
【実施例】
以下、本発明の実施例をのべる。
（イ）図１に示すように容器の底におさまる袋のフタにシール部２ｂを設ける。
（ロ）片面に容器の底に接着固定できるシール部２ａを設ける。
（ハ）底の深さよりうすめのドライアイスを中に入れ、フタをする。
本発明は、以上の構成のようになっている。
本発明を使用するときは、図２に示すようにシール部２ａで容器の底裏に接着固定させることで底からかき氷・アイスクリームなどがドライアイスで強力に保冷でき、時間がたち、または残り少なくなって、かき氷は水分にアイスクリームはどろどろの液体になることが激減する。さらに、底裏に接着できない容器でも図８のように下方の横に接着できるので、それに近い効果があらわれてくる。
次に、第２の実施例をのべる。
図３に示すのは接着面と反対面にあたる表面に断熱シートを設けたものであるが、これの使用例となるのが図４（Ａ）である。この場合その場所に手をふれても手を傷けたりすることがほとんどなく、さらに外に冷力が逃げていくことが激減するという効果もあらわれてくる。断熱シートは外側に接着させて設ける以外に図４（Ｂ）のように袋の中に設ける方法もある。この場合袋に接着させる必要がはぶける。
次に、第３の実施例をのべる。
図５、図６のものであるが、これは図７のように小さめのドライアイスをいくつか使用し、図９のような接着ができるために長くしたものである。容器の横下の周囲全体に近い保冷ができ、接着面も広いので、容器から外れることが少なくなるという特徴もある。
次に、第４の実施例をのべる。
図１０のものであるが、これは今までのものにシール部２ｃ付補助ベルトを設けたものである。（Ａ）（Ｂ）は長い補助ベルトで容器を一周させて粘着させるもので、その使用例となるのが図１１である。（Ｃ）（Ｄ）は両側にシール部２ｃで粘着させるもので、その使用例となるのが図１２である。（Ｅ）（Ｆ）は長いものに端をつなげて粘着させるもので、その使用例となるのが図１３である。いずれも粘着手段がシール部２ａだけの所をシール部２ｃが一ヵ所もしくは二ヵ所加算されるので少し粘着しずらい器でも充分に対応できる。
【０００７】
【発明の効果】
本発明を使用することによって、かき氷・アイスクリームなどを外側から保冷できるので、かき氷は水分にアイスクリームはどろどろの液体になることが激減し、今までになくおいしく召し上がれる。
また、底裏にスペースのある容器を使用し、底裏におさまる面積・形状にしたものを使用すれば、手に持つのに障害になることなく使用できる。
断熱シートを用いた構成においては、外に冷力が逃げることを激減させ、長い時間の使用が可能となり、その上袋に手がふれても傷つくことがほとんどなくなり、安心して手で持てるようになる。
補助ベルトを用いた構成においては、容器の形状などによってシール部２ａだけの粘着力では物足りない場合、シール部２ｃが加入するので充分に補える。
【図面の簡単な説明】
【図１】正面図（Ａ）と背面図（Ｂ）と底面図（Ｃ）
【図２】底に接着させた使用例の断面図
【図３】断熱シートを設けたものの正面図（Ａ）と背面図（Ｂ）と底面図（Ｃ）
【図４】断熱シートを外側に設けたものの使用断面図（Ａ）と中に設けた断面図（Ｂ）
【図５】長くしたものの正面図（Ａ）と背面図（Ｂ）と底面図（Ｃ）
【図６】長くしてフタを長い面に設けたものの正面図（Ａ）と背面図（Ｂ）
【図７】長くしたものの使用断面図で（Ａ）が上からの図、（Ｂ）が横からの図
【図８】容器の横下に接着させた使用図で（Ａ）（Ｂ）が横図、（Ｃ）が真上からの図
【図９】巻くように接着させた図で（Ａ）（Ｂ）が横図、（Ｃ）が真上からの図
【図１０】補助ベルトを設けたものの表面図と背面図
【図１１】長い補助ベルトで一周させた使用図で（Ａ）（Ｂ）が横図、（Ｃ）が真上図
【図１２】両側の補助ベルトで接着した使用図で、（Ａ）が底裏に接着させた断面図、（Ｂ）がその下からの図、（Ｃ）（Ｄ）が横下に接着させた図で、（Ｅ）がその真上からの図
【図１３】長い袋に補助ベルトで反対側をつなげた使用図で、（Ａ）（Ｂ）が横図、（Ｃ）が真上図
【符号の説明】
１　袋
２；２ａ；２ｂ；２ｃ　シール部
３　ドライアイス
４　容器
５　飲料
６　フタ部
７　断熱シート
８　補助ベルト
【図１】
2004010166.tif 000003
【図２】
2004010166.tif 000004
【図３】
2004010166.tif 000005
【図４】
2004010166.tif 000006
【図５】
2004010166.tif 000007
【図６】
2004010166.tif 000008
【図７】
2004010166.tif 000009
【図８】
2004010166.tif 000010
【図９】
2004010166.tif 000011
【図１０】
2004010166.tif 000012
【図１１】
2004010166.tif 000013
【図１２】
2004010166.tif 000014
【図１３】
2004010166.tif 000015